(57)【要約】【課題】実装されたアンテナ周辺部品を移動することなく、周波数調整を容易に行うアンテナ装置及び無線通信装置を提供する。【解決手段】アンテナエレメントを備えるアンテナ装置であって、前記アンテナエレメントの先端が２股に分岐され、分岐したエレメントの他方の長さによって周波数が調整されることを特徴とするアンテナ装置、すなわち、逆Ｌアンテナの第一のエレメントと逆方向に第二エレメントを設ける構成により、第二エレメントの長さ変更のみでアンテナ共振周波数の調整をすることができる。【選択図】図１
2010109515.tif 000002
【特許請求の範囲】
【請求項１】
アンテナエレメントを備えるアンテナ装置であって、
前記アンテナエレメントの先端が２股に分岐され、分岐したエレメントの他方の長さによって周波数が調整されることを特徴とするアンテナ装置。
【請求項２】
前記アンテナエレメントは、２股の分岐した長さが異なることを特徴とする請求項１記載のアンテナ装置。
【請求項３】
前記アンテナエレメントは、２股の分岐した長さが、基板の長辺方向の中心線に対して逆向きのエレメントのほうが長いことを特徴とする請求項１又は２記載のアンテナ装置。
【請求項４】
前記アンテナエレメントは、２股の分岐した角度が９０度以上であることを特徴とする請求項１から３のいずれか１項記載のアンテナ装置。
【請求項５】
前記アンテナエレメントは、２股の分岐した角度が２７０度以下であることを特徴とする請求項１から４のいずれか１項記載のアンテナ装置。
【請求項６】
前記アンテナエレメントは線状アンテナであることを特徴とする請求項１から５記載のいずれか１項記載のアンテナ装置。
【請求項７】
請求項１から６のいずれか１項記載のアンテナ装置を備えることを特徴とする無線通信装置。
【発明の詳細な説明】
【技術分野】
【０００１】
本発明はアンテナ装置及び無線通信装置に関し、特に実装されたアンテナ周辺部品を移動することなく、周波数調整を容易に行うアンテナ装置及び無線通信装置である。
【背景技術】
【０００２】
近年、携帯無線装置においては、テレビ機能や音楽再生機能等、さまざまな機能が搭載されている。そのため、それぞれのアプリケーションに対応した部品やアンテナが搭載されており、携帯無線装置内部は、ほとんど空間がないほど部品で埋め尽くされている。また、携帯無線装置内に実装されているアンテナには、板金を利用した逆Lタイプがよく使用されている（特許文献１参照）。本アンテナはλ／４アンテナを低姿勢化したものである。
【０００３】
図６は、従来の逆Ｌアンテナを備えた無線通信装置の概略構成図である。図６に示す無線通信装置は、折り畳み式の携帯無線装置である。携帯無線装置２０は、上部基板２１と、下部基板２２と、導通接続部２３と、ヒンジ部２４と、アンテナ２９と、カメラ３０とを有している。
【０００４】
上部基板２１および下部基板２２は上部筐体および下部筐体（図示せず）の内部に収容されており、ヒンジ部２４により、上部基板２１と下部基板２２が開閉可能に接続されている。前記上部基板２１には、液晶ディスプレイ（図示せず）が搭載されている。下部基板２２は、カメラ３０、アンテナ２９、給電部２６、整合回路２７、無線回路２８、電池等（図示せず）が搭載されている。
【０００５】
導通接続部２３は、ヒンジ部２４を通って、上部基板の回路と下部基板の回路とを電気的に接続する。アンテナ２９は例えば線状アンテナにより構成され、下部基板２２上に搭載された給電部２６に接続されている。給電部２６は、整合回路２７に接続され、無線回路２８に接続されている。
【０００６】
図７に従来のアンテナの拡大図を示す。図７（ａ）は、逆Lアンテナである。逆Lアンテナは、エレメント先端部の長さを調整することにより、共振周波数を調整することが出来る。そのため、あらかじめ所望の周波数よりも長めにエレメント長を調整しておき、エレメント先端を切ることにより周波数調整を行っている。
【０００７】
一方、予定よりも共振周波数が高すぎたり、筐体側面等の関係によりアンテナスペースが十分に確保できず、構造的にこれ以上エレメントを伸ばせない場合については、例えば図７（ｂ）に示すように、アンテナをクランク形状にし、限られたスペース内で周波数の調整を行っている。
【０００８】
また、異なる長さのアンテナ素子を複数有し、ＴＶ放送波、ＦＭ放送波、ＡＭ放送波といった異なる周波数の電波を受信するアンテナ装置が提案されている（特許文献２参照）。
【特許文献１】特開平９−１８１５２５号公報
【特許文献２】特開２００４−１２８６９６号公報
【発明の開示】
【発明が解決しようとする課題】
【０００９】
しかしながら、逆Ｌアンテナの調整方法では、共振周波数が低い場合にはエレメント先端を切って調整するため、携帯無線装置内部がほとんど空間がないほど部品で埋め尽くされているにも関わらず、アンテナのために確保した体積を十分に活用出来ていないという問題があった。
【００１０】
また、クランク形状にすると、図８に示すようにエレメント上に流れる電流が打ち消す方向に向いてしまうため、帯域幅が狭くなったり、放射効率が劣化してしまうという問題があった。クランク形状を解消するためには、図９に示す給電部２６の実装位置を変更することにより可能であるが、給電部２６を移動するためには、例えば図１０のように実装されたカメラ３０等の移動が必要となる。小型化が進んだ携帯無線装置では部品の移動は容易ではないため、クランク形状のまま、特性が劣化した状態で使用せざるを得ないという問題があった。
【００１１】
また、異なる長さのアンテナ素子を複数有して異なる周波数の電波を受信するアンテナ装置は、異なる周波数の電波を受信するために、二股に分岐した一方のアンテナ素子で、ある周波数に合うように調整し、もう一方のアンテナ素子で別の周波数に合うようにそれぞれの素子長を調整し、それらをＴ字に構成している。このようなＴ字型アンテナの場合、アンテナエレメントが両サイドに伸びているため、そこで逆向きの電流が流れ、放射を打ち消してしまう性質がある。
【００１２】
本発明はこのような状況に鑑みてなされたものであり、実装されたアンテナ周辺部品を移動することなく、周波数調整を容易に行うことを目的としている。
【課題を解決するための手段】
【００１３】
本発明に係るアンテナ装置は、アンテナエレメントを備えるアンテナ装置であって、前記アンテナエレメントの先端が２股に分岐され、分岐したエレメントの他方の長さによって周波数が調整されることを特徴とする。
【００１４】
本発明に係る無線通信装置は、上記本発明に係るアンテナ装置を備えることを特徴とする。
【発明の効果】
【００１５】
本発明によれば、実装されたアンテナ周辺部品を移動することなく、周波数調整を容易に行うことが出来る。
【発明を実施するための最良の形態】
【００１６】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１７】
本発明の実施形態に係るアンテナを備える無線通信装置について説明する。本実施形態では、無線通信装置の一例として携帯無線装置を用いて説明する。
【００１８】
図１は、本実施形態に係るアンテナ１０を備える携帯無線装置１の概略構成図である。携帯無線装置１は、上部基板２と、下部基板３と、導通接続部４と、ヒンジ部５と、アンテナ６とを有している。
【００１９】
上部基板２および下部基板３は上部筐体および下部筐体（図示せず）の内部に収容されており、ヒンジ部５により、上部基板２と下部基板３が開閉可能に接続されている。
【００２０】
上部基板２には、液晶ディスプレイ（図示せず）が搭載されており、下部基板３には、カメラ１３、アンテナ１０、給電部７、整合回路８、無線回路９、電池等（図示せず）が搭載されている。
【００２１】
導通接続部４は、ヒンジ部５を通って、上部基板２の回路と下部基板３の回路とを電気的に接続する構成を有している。
【００２２】
アンテナ１０は、例えば線状アンテナにより構成されている。また、アンテナ１０は、下部基板３上に設けられた給電部７に接続される。
【００２３】
給電部７は、整合回路８に接続され、さらに無線回路９に接続されている。
【００２４】
図１に示す携帯無線装置１に設けられたアンテナ１０の拡大図を図２に示す。アンテナ１０は、T字型形状で形成されている。本T字型形状は、給電部７から下部基板３の長辺に沿う方向に下部基板３の外側に向けて伸び、先端で下部基板３の短辺に沿う方向に２手に分かれ、第一のエレメント１１と第二のエレメント１２により構成されている。
【００２５】
ここで、エレメントの調整方法について述べる。まず、第一のエレメント１１は、所望の周波数に対し、若干高い周波数で共振する長さに決定する。次に、第二のエレメント１２を付加することにより、共振周波数が下がるため、第二のエレメント１２の長さを調整することで、所望の周波数に調整する。
【００２６】
第二のエレメント１２と共振周波数の関係について図３に示す。図３については、シミュレーションにより求めている。本シミュレーションでは、９０ｍｍ×４５ｍｍの上下の２枚基板からなり、中央部で上下基板導通用のフレキをモデル化した折畳み型携帯装置モデルを用いている。図３では、第一のエレメントと第二のエレメントの比を横軸にとり、そのときの共振周波数の低下量を示している。本グラフによると第二のエレメント長を第一のエレメント長の半分程度まで伸ばすことで、比共振周波数を１０％ほど低下させることが可能であることが分かる。そのため、クランク形状等に変更することなく、第二エレメントの長さ変更のみでアンテナ共振周波数の調整をすることができる。
【００２７】
ここで、アンテナに流れる電流Ｉの分布と向きについて説明する。本発明の実施形態にかかるＴ字型アンテナ１０の電流分布と向きは、図２の矢印で示されている。一方、従来のクランク型アンテナの電流分布と向きは、図８の矢印で示されている。
【００２８】
Ｔ字型アンテナの場合、アンテナエレメントが両サイドに伸びているため、そこで逆向きの電流が流れ、放射を打ち消してしまう性質もあるが、本実施形態では第二エレメント１２の長さが短いため、大きな逆相の打ち消し電流は発生しない。一方、図８に示すクランク型アンテナの場合には、電流が大きい位置で逆相になってしまい、打ち消し合うこととなる。
【００２９】
このように、本実施形態に係るアンテナ１０は、逆Lアンテナの第一のエレメント１１と逆方向に第二エレメント１２を設ける構成により、第二エレメントの長さ変更のみでアンテナ共振周波数の調整をすることができる。従って、アンテナ形状の変更や給電点の移動等、既に実装されたアンテナ周辺部品の変更・移動をすることなく、容易にアンテナ共振周波数の調整を行うことが出来、特性劣化の無いアンテナを実現することが出来る。また、限られたアンテナスペースを有効に活用することが出来る。
【００３０】
なお、本発明はＴ字型アンテナ長を適宜設計することにより効果を発揮するため、アンテナエレメントの形成位置は図１や図２に示す例に限定されない。例えば、下部基板３におけるヒンジ側の左角部に設けてもよいし、ヒンジ側の反対側である先端側や上部基板２に設けてもよい。さらに、無線回路についても同様に下部基板３のみならず、上部基板２に形成することも可能である。
【００３１】
さらに、上記説明した実施形態では線状アンテナを使用し、直線状（第１エレメント１１と第２エレメント１２の角度が１８０度）に配置したが、本発明はこれに限られることはなく、第１エレメント１１と第２エレメント１２の角度が変化しても、第二エレメントの長さ変更のみでアンテナ共振周波数の調整をすることができる。角度の変化は、アンテナ装置が設けられる携帯電話装置等の筐体の形状に応じて必要となる場合もある。本発明の他の実施形態に係るアンテナを図４、図５に示す。図４は、例えば２７０度以下の角度を有するアンテナ装置である。図５は、例えば９０度以上の角度を有するアンテナ装置である。このように、筐体に沿って角度を持たせることが可能となる。また、エレメントを曲線状に配置しても、同様の効果を得ることが出来る。
【００３２】
さらに、上述した実施形態では、無線通信装置の一例として折り畳み式の携帯型電話装置を用いたが、本発明はこれに限定されることはなく、折り畳み式以外のタイプの無線通信装置にも適用できる。さらに、無線通信機能を備えたＰＤＡ（Personal Digital Assistant）や無線通信機能を備えたゲーム機等の、携帯型電話装置以外の無線通信装置にも適用することができる。
【００３３】
以上のように、本発明の実施形態に係るアンテナは、主たる周波数は第一のエレメントで決定し、それと反対側にのびる周波数調整用の第二のエレメント（サブエレメント）を追加することでＴ字を構成し、アンテナ周辺部品の実装を変更することなく周波数調整が可能となる。
【００３４】
本発明を好適な実施形態に基づき具体的に説明したが、本発明は上記のものに限定されるものではなく、その要旨を逸脱しない範囲で種々変更可能であることは言うまでもない。
【図面の簡単な説明】
【００３５】
【図１】本発明の実施形態に係るアンテナ１０を備える携帯電話装置１の概略構成図である。
【図２】本発明の実施形態に係るアンテナ１０の拡大図である。
【図３】本発明の実施形態に係る第二エレメントを調整したときの周波数変化量を示す図である。
【図４】本発明の他の実施形態に係るアンテナ装置を示す図である。
【図５】本発明の他の実施形態に係るアンテナ装置を示す図である。
【図６】従来のアンテナ２９を備える携帯電話装置２０の概略構成図である。
【図７】従来の各アンテナの拡大図である。
【図８】従来のクランク形状のアンテナの拡大図である。
【図９】従来の調整方法を説明するための図である。
【図１０】従来の調整方法では問題がある場合の構成を示す図である。
【符号の説明】
【００３６】
１、２０    携帯無線装置
２、２１    上部基板
３、２２    下部基板
４、２３    導通接続部
５、２４    ヒンジ
７、２６    給電部
８、２７    整合回路
９、２８    無線回路
１０、２９    アンテナ
１１    第一のエレメント
１２    第二のエレメント
１３、３０    カメラ
【図１】
2010109515.tif 000003
【図２】
2010109515.tif 000004
【図３】
2010109515.tif 000005
【図４】
2010109515.tif 000006
【図５】
2010109515.tif 000007
【図６】
2010109515.tif 000008
【図７】
2010109515.tif 000009
【図８】
2010109515.tif 000010
【図９】
2010109515.tif 000011
【図１０】
2010109515.tif 000012